(57)【特許請求の範囲】
【請求項１】
少なくとも浴槽に設けた吸入口と吐出口との間を結ぶ追い焚き用循環流路と給水を通すための給湯流路とが共通の熱交換器を経由するとともに、前記浴槽内の水を浄化するためのろ過槽と循環ポンプとを前記追い焚き用循環流路の途中に備えたろ過機能付き一缶多水路型給湯機において、
バイパス路と、切替弁と、前記熱交換器を加熱する加熱手段と、熱殺菌実行手段と、熱殺菌開始時期調整手段とを備え、
前記バイパス路は、前記ろ過槽と前記循環ポンプと前記熱交換器とを経由する環状経路が形成されるように前記追い焚き用循環流路の所定の２箇所を接続するものであり、
前記切替弁は、前記循環ポンプによって送り出される水を前記バイパス路側に流して前記環状経路内で循環させるか否かを切り替えるものであり、
前記熱殺菌実行手段は、予め定めた温度範囲内に加熱した水を前記環状経路内で所定期間に渡って循環させる熱殺菌処理を前記切替弁と前記加熱手段と前記循環ポンプとを用いて実行するものであり、
前記熱殺菌開始時期調整手段は、前記熱殺菌処理の開始指示を受けたとき、その後前記環状経路内の水が当該環状経路内の水の通る各部分の耐熱温度以下になるまで前記熱殺菌実行手段による前記熱殺菌処理の開始を延期させるものであることを特徴とするろ過機能付き一缶多水路型給湯機。
【請求項２】
前記熱殺菌開始時期調整手段は、前記熱殺菌処理の開始指示を受けたとき、その後給湯動作の無い状態で一定時間が経過するまで前記熱殺菌処理の開始を延期させるものであることを特徴とする請求項１記載のろ過機能付き一缶多水路型給湯機。
【請求項３】
前記追い焚き用循環流路のうち前記熱交換器を通る部分に存する水の温度を検知する温度センサを設け、前記熱殺菌開始時期調整手段は、前記熱殺菌処理の開始指示を受けたとき、その後前記温度センサの検知する温度が前記耐熱温度以下になるまで前記熱殺菌処理の開始を延期させるものであることを特徴とする請求項１記載のろ過機能付き一缶多水路型給湯機。
【請求項４】
前記熱殺菌開始時期調整手段は、前記熱殺菌処理の開始指示を受けたとき、それまでに行われた給湯動作の履歴に基づいて前記熱殺菌処理の開始を延期すべき期間の長さを定めるものであることを特徴とする請求項１記載のろ過機能付き一缶多水路型給湯機。
【請求項５】
少なくとも、前記熱殺菌処理の開始指示を受けた時点で前記追い焚き用循環流路のうち前記熱交換器を通る部分に存する水が前記耐熱温度を越えているとき、前記追い焚き用循環流路のうち前記熱交換器を通る部分に存する水を冷却する冷却手段を具備することを特徴とする請求項１、２、３または４記載のろ過機能付き一缶多水路型給湯機。
【請求項６】
前記冷却手段は、前記加熱手段による加熱動作を停止した状態で所定のファンを駆動して前記熱交換器を空冷するものであることを特徴とする請求項５記載のろ過機能付き一缶多水路型給湯機。
【請求項７】
前記冷却手段は、前記加熱手段による加熱動作を停止した状態で前記給湯流路側に水を流すことで前記追い焚き用循環流路のうち前記熱交換器を通る部分に存する水を冷却するものであることを特徴とする請求項５記載のろ過機能付き一缶多水路型給湯機。
【請求項８】
少なくとも、前記熱殺菌処理の開始指示を受けた時点で前記追い焚き用循環流路のうち前記熱交換器を通る部分に存する水が前記耐熱温度を越えているとき、前記追い焚き用循環流路のうち前記熱交換器を通る部分に存する水を前記環状経路内から前記ろ過槽を経由せずに排出する排水手段を具備することを特徴とする請求項１記載のろ過機能付き一缶多水路型給湯機。
【請求項９】
前記排水手段は、前記追い焚き用循環流路のうち前記熱交換器を通る部分に存する水を前記浴槽内に排出するものであることを特徴とする請求項８記載のろ過機能付き一缶多水路型給湯機。
【請求項１０】
前記排水手段は、循環ポンプを駆動した際に前記追い焚き用循環流路のうち前記熱交換器を通る部分に存する水がろ過槽へ至る手前の所定箇所で前記追い焚き用循環流路から分岐した排水管を通じて、前記追い焚き用循環流路のうち前記熱交換器を通る部分に存する水を排出するものであることを特徴とする請求項８記載のろ過機能付き一缶多水路型給湯機。
【発明の詳細な説明】
【０００１】
【発明の属する技術分野】
本発明は、少なくとも浴槽に設けた吸入口と吐出口との間を結ぶ追い焚き用循環流路と給水を通すための給湯流路とが共通の熱交換器を経由するとともに、前記浴槽内の水を浄化するためのろ過槽と循環ポンプとを前記追い焚き用循環流路の途中に備えたろ過機能付き一缶多水路型給湯機に関する。
【０００２】
【従来の技術】
従来から、浴槽内の水を捨てないで長期間に渡って使用できるように、風呂の追い焚き用循環流路の途中にろ過槽を組み込んだ風呂給湯器が提案されている。このような風呂給湯器では、ろ過槽内や循環用流路内に繁殖する雑菌等を死滅させるために、熱交換器で６５℃程度の高温に加熱した湯をろ過槽等に通し熱殺菌するようになっている。
【０００３】
たとえば、特開平４−３６６３５１号公報には、追い焚き用循環流路の途中にバイパス路および切替弁を設けることで、浴槽を迂回した閉経路を形成できるようにし、浴槽を迂回したこの閉経路内で高温の湯を循環させて熱殺菌処理を行う技術が開示されている。
【０００４】
【発明が解決しようとする課題】
ところで、追い焚き用循環流路と給湯流路とが共通の熱交換器を通る、いわゆる一缶二水路型の給湯器では、給湯使用時に、追い焚き用循環流路側も同時に加熱されるので、追い焚き用循環流路のうち熱交換器を通る部分に滞留している管内の水が高温に加熱される。したがって、このような一缶二水路型の給湯器にろ過槽を組み込んで浴槽水の浄化機能を持たせた装置では、給湯が行われた直後に熱殺菌処理を開始すると、ろ過槽など耐熱温度の比較的低いもの、特に樹脂製のものに、その耐熱温度を越える高温の湯が流れてしまい、かかる部分に割れや変形が生じて、その寿命が短くなってしまうという問題がある。
【０００５】
本発明は、このような従来の技術が有する問題点に着目してなされたもので、給湯の直後など高温の湯が配管内に存する状態で熱殺菌の行われることを防止したろ過機能付き一缶多水路型給湯機を提供することを目的としている。
【０００６】
【課題を解決するための手段】
かかる目的を達成するための本発明の要旨とするところは、次の各項の発明に存する。
［１］少なくとも浴槽（２００）に設けた吸入口（２０１）と吐出口（２０２）との間を結ぶ追い焚き用循環流路（５０）と給水を通すための給湯流路（３０）とが共通の熱交換器（１２）を経由するとともに、前記浴槽（２００）内の水を浄化するためのろ過槽（１１０）と循環ポンプ（７０）とを前記追い焚き用循環流路（５０）の途中に備えたろ過機能付き一缶多水路型給湯機において、
バイパス路（１０１）と、切替弁（６０）と、前記熱交換器（１２）を加熱する加熱手段（１１）と、熱殺菌実行手段（１２１）と、熱殺菌開始時期調整手段（１２２）とを備え、
前記バイパス路（１０１）は、前記ろ過槽（１１０）と前記循環ポンプ（７０）と前記熱交換器（１２）とを経由する環状経路が形成されるように前記追い焚き用循環流路（５０）の所定の２箇所を接続するものであり、
前記切替弁（６０）は、前記循環ポンプ（７０）によって送り出される水を前記バイパス路（１０１）側に流して前記環状経路内で循環させるか否かを切り替えるものであり、
前記熱殺菌実行手段（１２１）は、予め定めた温度範囲内に加熱した水を前記環状経路内で所定期間に渡って循環させる熱殺菌処理を前記切替弁（６０）と前記加熱手段（１１）と前記循環ポンプ（７０）とを用いて実行するものであり、前記熱殺菌開始時期調整手段（１２２）は、前記熱殺菌処理の開始指示を受けたとき、その後前記環状経路内の水が当該環状経路内の水の通る各部分の耐熱温度以下になるまで前記熱殺菌実行手段（１２１）による前記熱殺菌処理の開始を延期させるものであることを特徴とするろ過機能付き一缶多水路型給湯機。
【０００７】
［２］前記熱殺菌開始時期調整手段（１２２）は、前記熱殺菌処理の開始指示を受けたとき、その後給湯動作の無い状態で一定時間が経過するまで前記熱殺菌処理の開始を延期させるものであることを特徴とする［１］記載のろ過機能付き一缶多水路型給湯機。
【０００８】
［３］前記追い焚き用循環流路（５０）のうち前記熱交換器（１２）を通る部分（５１）に存する水の温度を検知する温度センサ（３６）を設け、前記熱殺菌開始時期調整手段（１２２）は、前記熱殺菌処理の開始指示を受けたとき、その後前記温度センサ（３６）の検知する温度が前記耐熱温度以下になるまで前記熱殺菌処理の開始を延期させるものであることを特徴とする［１］記載のろ過機能付き一缶多水路型給湯機。
【０００９】
［４］前記熱殺菌開始時期調整手段（１２２）は、前記熱殺菌処理の開始指示を受けたとき、それまでに行われた給湯動作の履歴に基づいて前記熱殺菌処理の開始を延期すべき期間の長さを定めるものであることを特徴とする［１］記載のろ過機能付き一缶多水路型給湯機。
【００１０】
［５］少なくとも、前記熱殺菌処理の開始指示を受けた時点で前記追い焚き用循環流路（５０）のうち前記熱交換器（１２）を通る部分（５１）に存する水が前記耐熱温度を越えているとき、前記追い焚き用循環流路（５０）のうち前記熱交換器（１２）を通る部分（５１）に存する水を冷却する冷却手段（１２３）を具備することを特徴とする［１］、［２］、［３］または［４］記載のろ過機能付き一缶多水路型給湯機。
【００１１】
［６］前記冷却手段（１２３）は、前記加熱手段（１１）による加熱動作を停止した状態で所定のファン（１４）を駆動して前記熱交換器（１２）を空冷するものであることを特徴とする［５］記載のろ過機能付き一缶多水路型給湯機。
【００１２】
［７］前記冷却手段（１２３）は、前記加熱手段（１１）による加熱動作を停止した状態で前記給湯流路（３０）側に水を流すことで前記追い焚き用循環流路（５０）のうち前記熱交換器（１２）を通る部分（５１）に存する水を冷却するものであることを特徴とする［５］記載のろ過機能付き一缶多水路型給湯機。
【００１３】
［８］少なくとも、前記熱殺菌処理の開始指示を受けた時点で前記追い焚き用循環流路（５０）のうち前記熱交換器（１２）を通る部分（５１）に存する水が前記耐熱温度を越えているとき、前記追い焚き用循環流路（５０）のうち前記熱交換器（１２）を通る部分（５１）に存する水を前記環状経路内から排出する排水手段（１２４）を具備することを特徴とする［１］記載のろ過機能付き一缶多水路型給湯機。
【００１４】
［９］前記排水手段（１２４）は、前記追い焚き用循環流路（５０）のうち前記熱交換器（１２）を通る部分（５１）に存する水を前記浴槽（２００）内に排出するものであることを特徴とする［８］記載のろ過機能付き一缶多水路型給湯機。
【００１５】
［１０］前記排水手段（１２４）は、循環ポンプ（７０）を駆動した際に前記追い焚き用循環流路（５０）のうち前記熱交換器（１２）を通る部分（５１）に存する水がろ過槽（１１０）へ至る手前の所定箇所で前記追い焚き用循環流路（５０）から分岐した排水管を通じて、前記追い焚き用循環流路（５０）のうち前記熱交換器（１２）を通る部分（５１）に存する水を排出するものであることを特徴とする［８］記載のろ過機能付き一缶多水路型給湯機。
【００１６】
前記本発明は次のように作用する。
熱殺菌開始時期調整手段（１２２）は、熱殺菌処理の開始指示を受けたとき、その後、熱殺菌時に形成される環状経路内の水が当該環状経路内の水の通る各部分の耐熱温度以下になるまで、熱殺菌実行手段（１２１）による熱殺菌処理の開始を延期させる。
【００１７】
このように、環状経路内の水がろ過槽（１１０）等の耐熱温度以下になるまで熱殺菌処理の実行開始が延期されるので、給湯が行われた直後に熱殺菌処理の開始指示を受けても、耐熱温度を越える高温の湯によって環状経路内の樹脂部材等を劣化させることがない。
【００１８】
たとえば、熱殺菌処理の開始指示を受けたとき、熱殺菌開始時期調整手段（１２２）は、その後、給湯動作の無い状態で一定時間が経過するまで熱殺菌処理の開始を延期させる。このように、熱殺菌処理の開始時期を、一律に延期するので、延期の必要性の有無判断や延期させる期間の長さを設定変更する等の処理が不要になり、装置構成の簡略化を図ることができる。
【００１９】
また、追い焚き用循環流路（５０）のうち熱交換器（１２）を通る部分（５１）に存する水の温度を検知する温度センサ（３６）を設け、この温度センサ（３６）の検知する温度が、耐熱温度以下になるまで熱殺菌処理の開始を延期させるものでは、延期期間を最適化して短縮できるとともに、耐熱温度以上の湯の流れることを確実に防止できる。
【００２０】
このほか、熱殺菌処理の開始指示を受けるまでに行われた給湯動作の履歴に基づいて、熱殺菌処理の開始を延期すべき期間の長さを定めるようにしてもよい。たとえば、前回の給湯動作が終了した時刻や、その際の給湯温度等を基準に、熱殺菌処理の延期の必要性の有無や延期期間の長さを定めることができる。
【００２１】
さらに、冷却手段（１２３）を具備するものでは、少なくとも、熱殺菌処理の開始指示を受けた時点で追い焚き用循環流路（５０）のうち熱交換器（１２）を通る部分（５１）に存する水が耐熱温度を越えているとき、この耐熱温度を越える湯を冷却し、延期期間の短縮を図る。
【００２２】
たとえば、加熱手段（１１）による加熱動作を停止した状態で、給排気用のファン（１４）を駆動して熱交換器（１２）を空冷する。また、加熱手段（１１）による加熱動作を停止した状態で、給湯流路（３０）側に水を流すことで、追い焚き用循環流路（５０）のうち熱交換器（１２）を通る部分（５１）に存する高温の湯を冷却するようにしてもよい。
【００２３】
また、排水手段（１２４）を具備するものでは、少なくとも、熱殺菌処理の開始指示を受けた時点で追い焚き用循環流路（５０）のうち熱交換器（１２）を通る部分（５１）に存する水が耐熱温度を越えているとき、この耐熱温度を越える湯を環状経路内から排出して延期期間を短縮する。たとえば、浴槽（２００）内や別途設けた排水路を通じて、環状経路内に存する高温の湯を排出する。これにより、短時間のうちに環状経路内に耐熱温度を越える湯の存在しない状態を形成することができる。
【００２４】
【発明の実施の形態】
以下、図面に基づき本発明の一実施の形態を説明する。
各図は、本発明の一実施の形態を示している。
図１に示すように、本実施の形態にかかる一缶多水路型給湯機１０は、浴槽２００内の湯を浄化や追い焚きのために循環させる循環用流路５０と、給水を加熱して出湯するための給湯流路３０とを有している。バーナー１１の上方に配置された熱交換器１２を、給湯流路３０および循環用流路５０の双方が経由している。バーナー１１の下方には、給気および排気を行うための燃焼ファン１４が配置されている。
【００２５】
給湯流路３０は、熱交換器１２のフィンプレートから受熱する配管部分である給湯系受熱管３１と、一端が給湯系受熱管３１の入側に接続され、他端側が給水の供給元に通じる給水管３２と、給湯系受熱管３１の出側から延びる給湯管３３とから構成されている。給水管３２の途中には、通水量を検知するための水量センサー３４が設けてある。
【００２６】
給湯管３３のうち給湯系受熱管３１の出側近傍には、給湯系受熱管３１で加熱された後の水温を検知する熱交サーミスタ３６が配置されている。また給湯管３３のうち熱交サーミスタ３６よりも下流側の所定箇所には、給湯流路３０を通じて出湯される湯量を調整するための水量制御弁３７があり、その下流には、給湯確認用の水量センサ３８が取り付けられている。
【００２７】
給水管３２のうち熱交換器１２の入側近傍箇所と給湯管３３のうち熱交サーミスタ３６と水量制御弁３７の間の所定箇所との間には、熱交換器１２を迂回させて給水管３２からの給水を給湯管３３に直接流し込むための固定バイパス路４０が設けてある。また、給水管３２のうち水量センサー３４より給水の流入側所定箇所と給湯管３３のうち水量制御弁３７と水量センサ３８の間の所定箇所との間には、熱交換器１２を迂回させて給水管３２からの給水を給湯管３３に流し込むための可変バイパス路４１が設けてある。この可変バイパス路４１の途中には、給湯管３３に流し込む水量を調整するための水量制御弁４２が取り付けてある。
【００２８】
循環用流路５０は、熱交換器１２のフィンプレートから受熱する配管部分である循環系受熱管５１と、循環系受熱管５１の入側と浴槽２００に設けた吸入口２０１との間を接続する追い焚き戻り管５２と、循環系受熱管５１の出側と浴槽２００に設けた吐出口２０２との間を接続する追い焚き往き管５３とから構成されている。
【００２９】
追い焚き往き管５３のうち循環系受熱管５１の出側近傍の所定箇所５４には、可変バイパス路４１の合流箇所４３と水量センサ３８との間で給湯管３３から分岐した連絡管４４が合流している。連絡管４４の途中には、当該連絡管４４を閉鎖するか開通させるかを切り替えるための注湯切替弁４５が設けてある。注湯切替弁４５を開くことで、給湯系受熱管３１で加熱された湯が連絡管４４を通じて合流箇所５４から循環用流路５０内へ流れ込み、循環用流路５０を通じて浴槽２００へ注湯できるようになっている。
【００３０】
追い焚き往き管５３の途中には、管内の通水を確認するための流水センサ５５が設けてある。追い焚き戻り管５２の途中には、第１電動三方弁６０と、循環ポンプ７０と、電動五方弁８０と、第２電動三方弁９０と、流水センサ７２とが吸入口２０１から熱交換器１２の入側に向けて上述の順で配置されている。また流水センサ７２の近傍には、管内の水温を検知するための風呂サーミスタ７４が取り付けてある。循環系受熱管５１の出側近傍には、この部分の配管内に存する水の温度を検知するための風呂巻水管サーミスタ７１が取り付けて有る。
【００３１】
第１電動三方弁６０は、第１接続口６１と、第２接続口６２と、第３接続口６３とを有している。また電動五方弁８０は、第４接続口８１から第８接続口８５の５つの接続口を有し、第２電動三方弁９０は、第９接続口９１と、第１０接続口９２と、第１１接続口９３とを備えている。追い焚き戻り管５２は、浴槽２００内の吸入口２０１から第１電動三方弁６０の第１接続口６１に入り、第１電動三方弁６０の第２接続口６２から電動五方弁８０の第４接続口８１に接続されている。さらに、電動五方弁８０の第５接続口８２から逆止弁７３を介して第２電動三方弁９０の第９接続口９１へと接続され、第２電動三方弁９０の第１１接続口９３から流水センサ７２を通じて循環系受熱管５１の入側に通じている。
【００３２】
第１電動三方弁６０の第３接続口６３には、追い焚き往き管５３のうち吐出口２０２と流水センサ５５との間から分岐した第１バイパス路１０１が接続されている。また第２電動三方弁９０の第２接続口９２には、追い焚き往き管５３のうち流水センサ５５と合流箇所５４との間の所定箇所から分岐した第２バイパス路１０２が接続されている。電動五方弁８０の有する第６接続口８３はろ過槽１１０の順方向出側１１１と接続され、電動五方弁８０の第７接続口８４には、排水管７５が接続されている。電動五方弁８０の第８接続口８５は、紫外線殺菌灯７６を介してろ過槽１１０の順方向入側１１２に接続されている。
【００３３】
ろ過槽１１０の内部には、ろ材が格納してあり、順方向入側１１２から流入した水は、ろ材を通過する際にゴミ等が除去されて浄化され、順方向出側１１１から排出される。循環ポンプ７０は、第１電動三方弁６０の第２接続口６２側から電動五方弁８０の第４接続口８１側に向かって管内の水を送り出すようになっている。
【００３４】
第１電動三方弁６０は、第１接続口６１と第２接続口６２とが連通される浴槽経由状態と、第２接続口６２と第３接続口６３とが連通される浴槽迂回状態とに少なくとも電動で切り替え可能になっている。第２電動三方弁９０は、第９接続口９１と第１０接続口９２とを連通させた熱交迂回状態と、第９接続口９１と第１１接続口９３と連通させた熱交経由状態とに少なくとも電動で切り替え可能になっている。
【００３５】
また電動五方弁８０は、第４接続口８１を第５接続口８２から第８接続口８５のうちのいずれかと連通させるとともに第４接続口８１と連通していない残り３つの接続口のうちのいずれか２つの接続口同士の間を連通される連通状態と、いずれの接続口８１〜８５同士も連通させずに各接続口８１〜８５を閉鎖する閉鎖状態とに電動で切り替え可能になっている。
【００３６】
一缶多水路型給湯機１０は、給湯動作、注湯動作、追い焚き動作、ろ過動作、熱殺菌処理など各種の動作を制御するための制御部１２０を備えている。制御部１２０は、熱殺菌処理を実行するために、バーナー１１の燃焼、循環ポンプ７０の駆動、各弁６０、８０、９０、４５の切り替えを行う熱殺菌実行部１２１と、熱殺菌処理の実行開始時期を延期させる開始時期調整部１２２と、冷却制御部１２３と、排水制御部１２４を備えている。
【００３７】
制御部１２０には、各種の弁４５、６０、８０、９０のほか循環ポンプ７０や流水センサ５５、７２、さらには熱交サーミスタ３６、風呂サーミスタ７４、風呂巻水管サーミスタ７１など各種の制御部品やセンサ類が簡略図示した配線１２５によって電気的に接続されている。また制御部１２０には、出湯温度の設定や、風呂の追い焚き指示等を受け付けるための図示しないリモコンが接続されている。このリモコンは浴室等に設置されるものである。
【００３８】
次に作用を説明する。
まず、通常ろ過運転について説明する。通常ろ過運転は、浴槽２００内の水をろ過槽１１０を経由するように循環用流路５０を循環させて浄化する運転モードである。通常ろ過運転では、第１電動三方弁６０は、第１接続口６１と第２接続口６２とが連通し、第３接続口６３の閉塞された浴槽経由状態に設定される。また電動五方弁８０は、第４接続口８１と第８接続口８５が連通し、かつ第６接続口８３と第５接続口８２の連通する順方向ろ過槽経由状態に設定される。
【００３９】
第２電動三方弁９０は、循環中の浴槽水を加熱しながら浄化する場合には、第９接続口９１と第１１接続口９３とが連通する熱交経由状態に設定され、保温すべき設定温度に達し、さらに加熱する必要のない場合は、第９接続口９１と第１０接続口９２とが連通する熱交迂回状態に設定される。
【００４０】
図２は、通常ろ過運転時における浴槽水の流れる経路を示している。熱交換器１２で加熱する場合は、図中の矢印３０１〜３０９で示す経路で浴槽水が循環する。非加熱の場合は、上記の経路のままでも良いが、給湯動作が開始されると、給湯系受熱管３１とともに循環系受熱管５１も同時に加熱され、浴槽水を設定保温温度に維持することができなくなるので、第２電動三方弁９０を熱交迂回状態に設定し、図中の矢印３１０側に浴槽水を流すようになっている。
【００４１】
図３は、熱殺菌処理時に循環ポンプによって送り出された水の流れる経路を示している。熱殺菌処理時において、電動五方弁８０は、通常ろ過運転の場合と同様に順方向ろ過槽経由状態に設定される。第１電動三方弁６０は第３接続口６３と第２接続口６２とが連通する浴槽迂回状態に設定され、第２電動三方弁９０は、熱交経由状態に設定される。
【００４２】
この状態で循環ポンプ７０を駆動すると、当該循環ポンプ７０によって送り出された水は、矢印３２０〜３２７で示すような環状経路を循環するように流れる。熱殺菌処理は、バーナー１１を適宜燃焼させることによって、環状経路内の水を約６５℃まで加熱した状態を維持しつつ、数分間、この環状経路内に湯を循環させるものである。
【００４３】
図４は、熱殺菌処理の開始タイミングを調整する際の流れを示している。熱殺菌処理は、通常、１日に一回程度行われるものであり、たとえば、深夜の３時等など予め予約した時間が到来するごとと、熱殺菌処理の開始指示が制御部１２０自身の所定回路部分から出力される。なお、本実施の形態では、給湯動作中は、熱殺菌処理の開始指示が出力されないようになっている。
【００４４】
熱殺菌処理の開始指示が発生すると（ステップＳ４０１；Ｙ）、開始時期調整部１２２は、ろ過槽１１０など前述の環状経路に存在する各種周辺部材の耐熱温度よりも、環状経路内の水温が低い状態になっているか否かを確認する（ステップＳ４０２）。すなわち、給湯動作が行われた直後に熱殺菌処理の開始指示が出力された場合には、循環系受熱管５１内に高温の湯が滞留しているので、このまま環状経路を形成して熱殺菌処理を開始すると、周辺部材の耐熱温度を越える湯がろ過槽１１０等の存する部分に流れてしまう。そこで、環状経路内の水の温度が周辺部材の耐熱温度を越える場合には（ステップＳ４０２；Ｎ）、熱殺菌処理の開始時期を遅延させ、耐熱温度以下になったとき、熱殺菌実行部１２１による熱殺菌処理の実行を開始させる（ステップＳ４０３）。
【００４５】
耐熱温度を越えない状態が形成されるまでの遅延は、以下に示す各種形態のうちのいずれか１つを選択し得るようになっている。第１の遅延形態は、前回の給湯燃焼が終了してから、予め定めた時間が経過するまで、熱殺菌処理の実行開始を遅延させるものである。たとえば、前回の給湯動作終了後、１０分が経過するまで熱殺菌処理の開始を遅延させる。この場合、給湯動作が終了してから４分経過後に熱殺菌処理の開始指示を受けたとすると、その後さらに６分が経過するまで、熱殺菌処理の実行開始が遅延されることになる。
【００４６】
なお、前回行われた給湯動作の設定温度の高低に応じて、給湯動作終了後に必要となる遅延時間の長さを変更するようにしてもよい。
【００４７】
第２の遅延形態は、前回の給湯動作終了からの経過時間にかかわらず、熱殺菌処理の開始指示を受けてから、常に、所定の待機時間が経過するまで熱殺菌処理の実行開始を遅延させるものである。この待機時間は、設定温度が最も高い状態での給湯動作が熱殺菌処理の開始指示の発生する直前に終了した場合に、循環系受熱管５１内の湯温が耐熱温度以下まで低下するのに要する時間よりも長くなるように予め設定したものである。
【００４８】
熱殺菌処理は、１日に１回程度行えば良いものであって、その開始時期が厳密である必要はないので、このように一律に所定の待機時間だけ遅延させても、問題はない。
【００４９】
第３の遅延形態は、風呂巻水管サーミスタ７１で循環系受熱管５１内の湯温を監視し、風呂巻水管サーミスタ７１の検知した温度が耐熱温度以下になるまで熱殺菌処理の開始時期を遅延させるものである。なお、実際は、循環系受熱管５１内で最も高温になる部分の湯温を風呂巻水管サーミスタ７１によって直接測定できないので、風呂巻水管サーミスタ７１の示す温度を基準に循環系受熱管５１内の最も高温になる部分の湯温を推定し、その推定した温度が耐熱温度以下になるまで熱殺菌処理の開始時期を遅延させている。
【００５０】
第３の遅延形態では、熱殺菌処理の開始指示が出力された時点で、既に風呂巻水管サーミスタ７１によって検出される湯温が耐熱温度以下の場合には、遅延なしに直ぐに熱殺菌処理の実行が開始されることになる。
【００５１】
上述の第１から第３の遅延形態では、これに循環系受熱管５１内の湯を強制冷却する動作を付加するようにしてもよい。たとえば、第２の遅延形態に冷却動作を併用すれば、給湯動作終了後に必要となる遅延時間の長さを、冷却される分だけ短く設定することができる。
【００５２】
冷却方法には、空冷方式と水冷方式とが考えられる。空冷方式は、熱殺菌処理の開始時期を遅延させている際に、バーナー１１を燃焼させないで、燃焼ファン１４を駆動するものである。水冷方式は、バーナー１１を燃焼させない状態で、給湯流路３０側から連絡管４４、循環用流路５０を通じて加熱しない水を浴槽２００へ注水するものである。
【００５３】
水冷の場合には、第２電動三方弁９０を第９接続口９１と第１０接続口９２とが連通し第１１接続口９３の閉塞される状態に設定して注湯切替弁４５を開く。これにより、給湯流路３０内の水が合流箇所５４から循環用流路５０側に流れ込むとともに、この水は第１１接続口９３が閉塞されており、かつ逆止弁７３が存在するので、吐出口２０２から浴槽２００へと流れ込む。このようにして給湯流路３０の給湯系受熱管３１部分に加熱されない冷たい水を流すことで、給湯系受熱管３１と接する循環系受熱管５１内の湯が冷却され、遅延時間を短縮することができる。
【００５４】
これまでに説明した各遅延形態は、循環系受熱管５１内の湯温が低下するのを待つか、あるいは強制的に冷却するものであるが、以下に示す第４、第５の遅延形態は、循環系受熱管５１内に存する水を、ろ過槽１１０など耐熱温度の比較的低い部材の存する部分を経由せずに環状経路内から排出し、この排出動作が終了するまで熱殺菌処理の開始を遅延させるものである。
【００５５】
排水制御部１２４は、熱殺菌処理の開始指示を受けると、循環系受熱管５１に存する湯を吐出口２０２側から浴槽２００へ、あるいは後に説明する排水管を通じて外部に排出する。浴槽２００へ排出する場合は、通常ろ過運転と同様の動作を、少なくとも循環系受熱管５１内に存する水が吐出口２０２から流出し終えるまで行えばよい。ろ過槽１１０を経由せずに循環系受熱管５１内の水を排水管７５へ排出することは、図１に示した構成では実現できないが、たとえば、追い焚き往き管５３の途中から分岐する排水管と、当該排水管へ追い焚き往き管５３内の水を流すか否かを切り替える切替弁とを設ければ排水管への排出が可能になる。
【００５６】
すなわち、上述の切替弁を排水管側に水の流れる状態に設定し、かかる状態で通常ろ過運転を行えば、循環系受熱管５１内の水は追い焚き往き管５３の途中から分岐した排水管側に排出される。このように排水管へ排出した場合には、それに見合う分の湯を、後に注湯することが望ましい。
【００５７】
図５は、図１に示した一缶多水路型給湯機１０において電動五方弁８０および逆止弁７３を第３〜第６の電動三方弁５１０、５２０、５３０、５４０で置き換えたものである。通常ろ過運転および熱殺菌処理を行う際には、配管内の水が図中の矢印５５１〜５５４で示すごとく流れるように各弁が設定される。
【００５８】
以上説明した実施の形態では、各種の遅延形態を選択可能に構成したが、これら全ての遅延形態を備える必要はなく、いずれか１つの遅延形態だけを実行し得るように構成してもよい。
【００５９】
このほか実施の形態では一缶二水路型の給湯と追い焚きを行うことのできるろ過機能付き一缶多水路型給湯機の例を示したが、これに限定されず、暖房経路をさらに加え、給湯と追い焚きと暖房の各流路を共通の熱交換器で加熱する一缶多水路型の熱交換器を備えたものであっても本願は有効である。なお、バーナーへ供給する燃料はガス以外に石油等であってもかまわない。また、石油等ではガンタイプバーナーのようなバーナーレスタイプなどでもよい。
【００６０】
【発明の効果】
本発明にかかるろ過機能付き一缶多水路型給湯機によれば、熱殺菌時に形成される環状経路内の水がろ過槽等の耐熱温度以下になるまで熱殺菌処理の実行開始が遅延されるので、給湯が行われた直後に、熱殺菌処理の開始指示を受けても、耐熱温度を越える高温の湯によって環状経路内の樹脂部材等を劣化させることがない。
【図面の簡単な説明】
【図１】本発明の一実施の形態に係るろ過機能付き一缶多水路型給湯機を示す説明図である。
【図２】本発明の一実施の形態に係るろ過機能付き一缶多水路型給湯機が通常ろ過運転を行う際に浴槽水の流れる経路を示す説明図である。
【図３】本発明の一実施の形態に係るろ過機能付き一缶多水路型給湯機が熱殺菌処理を行う際に循環ポンプによって送り出される水の循環する環状経路を示す説明図である。
【図４】本発明の一実施の形態に係るろ過機能付き一缶多水路型給湯機が熱殺菌処理の開始時期を調整する際の動作を示す流れ図である。
【図５】本発明の一実施の形態に係るろ過機能付き一缶多水路型給湯機の電動五方弁および逆止弁を４つの電動三方弁で置き換えたものを示す説明図である。
【符号の説明】
１０…ろ過機能付き一缶多水路型給湯機
１１…バーナー
１２…熱交換器
１４…燃焼ファン
３０…給湯流路
３１…給湯系受熱管
３２…給水管
３３…給湯管
４４…連絡管
４５…注湯切替弁
５０…循環用流路
５１…循環系受熱管
５３…追い焚き往き管
５４…合流箇所
６０…第１電動三方弁
７０…循環ポンプ
７１…風呂巻水管サーミスタ
７３…逆止弁
７４…風呂サーミスタ
７５…排水管
７６…紫外線殺菌灯
８０…電動五方弁
９０…第２電動三方弁
１０１…第１バイパス路
１０２…第２バイパス路
１１０…ろ過槽
１２０…制御部
１２１…熱殺菌実行部
１２２…開始時期調整部
１２３…冷却制御部
１２４…排水制御部
２００…浴槽
２０１…吸入口
２０２…吐出口
【図１】
0003969614.tif 000002
【図２】
0003969614.tif 000003
【図３】
0003969614.tif 000004
【図４】
0003969614.tif 000005
【図５】
0003969614.tif 000006